(57)【要約】  １つのテンプルを有し、テンプルが帽子、好ましくは帽子のつば又はまびさしに留め金具で固定される眼鏡を提供する。テンプルは少なくとも１個の継手と連結され、この継手によりレンズ部を使用者の眼前の使用位置から片方の耳の上方で使用者の頭部に沿った収納位置へと旋回させることが可能になる。【選択図】図１
2008506157.tif 000002
【特許請求の範囲】
【請求項１】
帽子に取り付け可能な眼鏡であって、
レンズ部と、
前記眼鏡の使用者がかぶっている帽子へ前記レンズ部を支持するためのテンプル構造物とを含み、前記テンプル構造物が、前記レンズ部に連結した第１端と、前記帽子の一部と接続できる第２端と、前記使用者に関する使用位置から前記使用者の一方の耳の近くまで延在伸する収納位置へと前記レンズ部を移動させる位置移動手段と、
を含む、眼鏡。
【請求項２】
前記位置移動手段は、前記使用者が前記帽子をかぶっているときに、前記使用位置から前記収納位置へ前記レンズ部を回転及び旋回移動させることができる、請求項１に記載の眼鏡。
【請求項３】
前記移動が前記帽子を移動せずに行なわれる、請求項２に記載の眼鏡。
【請求項４】
前記第２端が、前記帽子のつば部と取外し可能な状態で係合できる留め金具を含む、請求項１に記載の眼鏡。
【請求項５】
前記位置移動手段が自在継手を含む、請求項１に記載の眼鏡。
【請求項６】
前記テンプル構造物の一部が可撓性である、請求項７に記載の眼鏡。
【請求項７】
前記位置移動手段が２個の自在継手を含む、請求項８に記載の眼鏡。
【請求項８】
前記レンズ部は、前記レンズ部が前記使用位置に在るとき、前記人物の鼻の一部へ前記レンズ部をかけるための鼻かけ部を中央部に含む、請求項１に記載の眼鏡。
【請求項９】
前記レンズ部が太陽光を遮蔽する、請求項１に記載の眼鏡。
【請求項１０】
前記第１端が前記レンズ部の端部と連結されている、請求項１に記載の眼鏡。
【請求項１１】
帽子に取り付け可能な眼鏡であって、
人の目に近い使用位置へ配置するように適合させられたレンズ部と、
前記レンズ部を前記使用位置に支持するための細長いテンプル構造物と、
を含み、前記テンプル構造物が、
反対向きの第１及び第２の端部であって、前記第１端部が前記レンズ部の側縁領域に接続され且つ第１接続手段を備えており、前記第２端部が前記人物がかぶることのできる帽子に接続でき且つ前記第２端部を前記帽子の一部へ可逆的に取り付けるための第２接続手段を備えている、第１及び第２の端部と、
前記レンズ部を前記使用位置から収納位置へ旋回させるための結合手段と、
を含む、眼鏡。
【請求項１２】
前記結合手段は、前記テンプル構造物との組み合わせにおいて、前記レンズ部が前記収納位置に在るとき前記レンズ部を前記人物の一方の側頭部に沿って伸ばすことができる、請求項１１に記載の眼鏡。
【請求項１３】
前記一対のレンズ部が、前記使用位置と前記収納位置との間を可逆的に移動できる、請求項１１に記載の眼鏡。
【請求項１４】
前記レンズ部が太陽光を遮蔽する、請求項１１に記載の眼鏡。
【請求項１５】
レンズ部は、前記レンズ部が前記使用位置に在るときに前記人物の鼻へかけるための、中央部に配置された鼻かけ部を含む、請求項１１に記載の眼鏡。
【請求項１６】
前記第２接続手段が、前記帽子のつば部と取り外し可能に係合できる留め金具を含む、請求項１１に記載の眼鏡。
【請求項１７】
前記結合手段が、前記第２端部を前記第２接続手段とをその間に介在して接続する、ボール・ソケット型の自在継手である、請求項１１に記載の眼鏡。
【請求項１８】
前記第２接続手段が留め金具を含み、且つ前記結合手段が第１継手と第２継手を含み、前記第１継手は前記第１接続手段を含み、前記第２継手は前記第２接続手段を含み、更に前記第１及び第２継手はそれぞれ自在継手である、請求項１１に記載の眼鏡。
【請求項１９】
帽子に取り付け可能なサングラスであって、
太陽光を遮蔽する一対のレンズ部であって、各レンズ部が人の左右それぞれ異なる片方の目を覆う使用位置へ配置するように設計されており、前記一対のレンズ部が中央部に配置された鼻かけ手段を含む、一対のレンズ部と、
反対向きの第１及び第２端部を有するテンプル構造物であって、前記第１端部が、前記レンズ部の一方の側縁領域に接続され且つ接続手段を備えており、前記第２端部は、前記人物がかぶることのできる帽子の一部へ前記第２端部を取り付けるための留め金手段に接続されているテンプル構造物と、
を含み、
前記テンプル構造物が更に、前記テンプル構造物に沿った異なる位置に第１及び第２継手をそれぞれ有しており、前記第１継手は、前記留め金手段が前記の帽子に固定されたとき前記一対のレンズ部を水平方向に前記使用位置から側面位置へ調節可能に旋回させるように設計されており、前記第２継手は、前記留め金手段が前記の帽子に固定されたとき前記一対のレンズ部を垂直に前記側面位置から前記人物の片方の側頭部に沿って片方の耳の上に延在する収納位置へ調節可能に旋回させるように設計されており、更に前記一対のレンズ部が前記使用位置と前記収納位置の間を可逆的に移動できる、サングラス。
【請求項２０】
前記接続手段がヒンジを含む、請求項１９に記載のサングラス。
【請求項２１】
前記一対のレンズ部が前記使用位置に在るとき、前記中央部に配置された鼻かけ部は前記人物の鼻柱領域の上にかけられる、請求項１９に記載のサングラス。
【請求項２２】
前記継手の少なくとも１個が自在継手である、請求項１９に記載のサングラス。
【請求項２３】
前記一対のレンズ部がプラスチックから成る、請求項１９に記載のサングラス。
【請求項２４】
前記側縁領域が片方のレンズ部のある領域を含む、請求項１９に記載のサングラス。
【請求項２５】
レンズ部と前記鼻かけ部がフレーム部材と連結している、請求項１９に記載のサングラス。
【請求項２６】
前記側縁領域が前記フレーム部材の縁部領域を含む、請求項２５に記載のサングラス。
【発明の詳細な説明】
【技術分野】
【０００１】
本発明は、帽子に取り付けできる可調整眼鏡、より具体的には、帽子に取り付け可能なテンプル（つる）を備えているサングラスであって、テンプルがサングラスを使用位置から使用者の片耳の上部に位置する収納位置へと移動させることの出来る継手部を含む、サングラスに関する。
【背景技術】
【０００２】
従来のサングラスは、色付きガラス又はプラスチックのレンズ部を有し、レンズ部は、かける人の眼前の使用位置にある場合、一般的に両方とも、中央側ではかける人の鼻筋により、反対側では一対の所謂テンプルを介してかける人の耳によって支持され、テンプルは各々、レンズ部の異なる側縁領域から延びて耳に係合する。
【０００３】
このような従来のサングラスは、種々の問題に悩まされる。１つには、かける人の眼前の使用位置にある場合、例えばかけている人が汗をかいたときに、サングラスが動いたり移動したりして、サングラスがかけている人の鼻からずり下がることがある。
【０００４】
もう１つは、かける人の眼を覆う位置にない場合、サングラスを外し、テンプルを収納用のヒンジ部材でレンズ部に対して内側へ折畳み、ポケット、ケース、などに入れなければならないが、通常これらの動作はかけている人の両手の使用を必要とし、目前の又は進行中の他の仕事に関してかけている人の不都合や妨害又は中断の原因となる。収納されたサングラスを使用位置へ配置する場合は、逆の操作を行なう必要があり、それは通常同じようにかける人の両手の使用を必要とし、同じように進行中の仕事に関する不都合や妨害又は中断の原因となる。
【０００５】
このような問題点を避ける目的で、使用者がかぶる帽子によってサングラスのレンズ部を支持するために、これまで種々の努力がなされてきた。例えば、Ｇａｔｃｈａｌｉａｎ氏の米国特許第５，４１２，８１２号は、使用者によってかぶられる帽子のつば又はまびさしによって旋回可能に支持された、レンズ部の中央部領域について開示している。別の例として、Ｃｈｕｎｇ氏の米国特許第４，８６９，５８６号は、サングラスが垂直な使用位置から水平な収納位置へ水平軸の周りを旋回するか、又は垂直な使用位置から横の収納位置へ垂直軸の周りを旋回するように、帽子のまびさしをサングラスの縁部と相互接続するブラケットを開示している。しかし、これらのアセンブリでは、使用位置及び収納位置の何れに在るときもサングラスは不安定であるように思われる。更に、これらのサングラスは使用者の視界又は操作性を妨げることがあり、従ってこれらのアセンブリを不満足で時には不安全なものにしている。
【０００６】
帽子で支持することができ、且つ、使用位置、又はレンズ部が使用者の頭部の片側に沿って長手方向に延びるように配置される収納位置、の何れかにレンズ部を配置できるような、新しい改善されたサングラスの構造が必要とされている。
【０００７】
（発明の開示）
調整可能なテンプル構造物を含むサングラスが提供されている。一方の終端領域では、テンプル構造物は、帽子まびさしのような帽子の一部と連結できるようにするブラケット又は留め金具（クリップ）構造物を備えており、反対の終端領域では、テンプル構造物はサングラスの横方向の側縁領域と結合している。
【０００８】
帽子に取り付けられたテンプル構造物は、サングラスのレンズ部を使用者の眼前の使用位置へ配置できるようにし、且つ使用者の頭部の片側に沿い且つ片耳を覆う位置にある収納位置へ移動できるようにする。使用位置では、必要に応じて、レンズ部を支持するのに使用者の鼻筋を利用することができる。
【０００９】
このような動きを可能にし、且つ使用位置と収納位置の両方でサングラスを安定した状態に保つために、テンプル構造物は少なくとも１個、好ましくは２個の自在型の継手を取り入れている。
【００１０】
好ましくは、レンズ部は、レンズ部が使用位置にあるとき使用者の鼻筋の上に置かれて鼻筋と係合する、中間領域を含む。
【００１１】
本発明の眼鏡は比較的簡単で、信頼性があり、且つ使い勝手がよい。
【００１２】
本発明の眼鏡は、特にサングラスが望まれる環境、例えば、使用者がスポーツやレクリエーション活動、建設活動、などの活発な身体活動に従事している環境や使用者が車両の運転、日光浴などの比較的活動的でない身体活動に従事している環境、を含む、多様な環境における使用に適している。
【００１３】
本発明のサングラスは、従来のサングラスに伴う前述の欠点を克服すると見られている。
【００１４】
その他の更なる目的、ねらい、特徴、目標、意図、実施形態、などは、以下の説明、関連する図面、並びに添付した特許請求の範囲から、当業者には明白となろう。
【発明を実施するための最良の形態】
【００１５】
図１〜１０を参照すると、本発明の眼鏡の好ましい実施形態２０が示されている。眼鏡２０は、太陽光遮蔽能力を付与するために色がつけられている、相互に連結した一対のレンズ部２１と２２を含む。代りに、必要に応じて、レンズ部は無色透明であるか又は偏光処理されていてもよい。レンズ部２１と２２は、図示されているように、それらの中央部に配置された鼻かけ部２３を含むことが好ましい。好ましくは、図示するように、鼻かけ部２３の下部領域は、使用者頭部２６の鼻２４の上部領域にかけられるように形作られる。使用者の頭部２６は、眼鏡２０が図１と５に示すような使用位置に在るとき、つば２８の付いた帽子２７をかぶっている。使用位置において、レンズ部２１は使用者２６の右目（詳述しない）の前に置かれ、一方レンズ部２２は使用者２６の左目（詳述しない）の前に置かれる。相互に接続する鼻かけ領域２７を備えたレンズ部２１と２２は、一般にありふれたものであって、便利なように一体的にプラスチックで形成される。便宜上、レンズ部２１、レンズ部２２、及び鼻かけ部２３の組合せ物を、本明細書では符号２５で表わす。必要に応じて、当業者が容易に理解できるように、組合せ物２５のための別の構成材料や別の配置も使用できる。
【００１６】
一体的に形成された基台及び第２ボール部３７の対応ソケット部２９が、レンズ部２２の左端領域の内側に熱融着、接着剤など（詳述しない）で取り付けられる。ボール部３７は、基台／ソケット部３８に連結され、ボール部３７と基台／ソケット部３８は一緒にボール／ソケット自在継手アセンブリ３９を構成する。基台／ソケット部３８は一体的に形成されて、好ましくは留め金具（クリップ）４２の首部領域の輪郭を定める。テンプル（つる）３４が、基台／ソケット部３８と連結している対向した第２端３６から、外に向かって延びている。
【００１７】
基台／ソケット部３８は、プラスチック成形により一体化形成され、好ましくは、幾らか横方向に幅が広くなっていることが好都合であり、好ましくい。好ましくは、基台／ソケット部３８の両側の領域は、一体的に形成され外側に向かって延びている、互いに概ね隣接した平らなばね板部４３、４４をそれぞれ備えている。しかし、必要に応じて、留め金具４２と基台／ソケット部３８とはそれぞれ別々に形成され、基台／ソケット部３８の孔を貫通して延びるテンプル３４と後で連結されることもできる。ばね板部４３と４４を有する留め金具４２は成形プラスチックにより一体化形成されることが好都合であり、好ましい。
【００１８】
ばね板４３と４４に対し多様な外形が採用できるけれども、図示したように、側立面図で見ると、ばね板４４は好ましくは平板状の外形を有し、ばね板４３は弾性のある僅かに弓形状の外形を有する。好ましくは、特にばね板４３に伴う、ばね板４３の一部をばね板４４に隣接して係合させる固有のばねのバイアス（付勢力）又は材料記憶力は、大部分が部分３８によってもたらされ、それによって留め金具４２に帽子２７の選んだ場所、好ましくはつば２８の一部をばね板４３と４４の間に入れてしっかり掴かませ、留め金具４２がそれと係合し、且つ帽子２７が使用者２６の頭部に望ましいように配置されたときに、眼鏡２０を支持するようにさせる。
【００１９】
好ましくは、ボール部３２とソケット部２９との間、及びボール部３７とソケット部３８との間の摩擦力による係合は、一旦ソケット部２９又は３８に対するボール部３２又は３７の特定の位置が使用者２６の手によってそれぞれ選択されると、その位置が保持され眼鏡２０が選択された所望の外形、位置又は向きに維持されるようになっている。
【００２０】
眼鏡２０の好ましい使用方法において、最初に、使用者２６の眼前のレンズ部２１及び２２と鼻かけ部２３とを含む組合せ物２５のおおよその使用位置を選択し、それに応じて自在継手３１及び３９を調節した後に、留め金具４２が、使用者２６の頭部に配置できる帽子２７のつば部２８と係合される。通常、留め金具４２はつば２８の側縁部に連結されるのが都合良い。組合せ物２５が図１と５に示すような使用位置にあるとき、眼鏡になれた人は容易に理解できるように、鼻かけ部２３を鼻２４にかけ、組合せ物２５を係合した留め金具４２と鼻かけ部２３によって使用位置に支持させることが好ましい。
【００２１】
レンズ部２１、レンズ部２２、及び鼻かけ部２３が連結された組合せ物２５を、図５に示したような使用位置から図８に示したような収納位置へ動かして配置するために、自在継手３１及び３９とテンプル３４が、図５〜７に示すように、組合せ物２５を手で動かすころにより、形状を変えられたり調節されたりする（簡単にするために組合せ物２５に触れている使用者の手は示していない）。このように、帽子２７を配置した状態で、組合せ物２５は、図５に示した使用位置から図６に示したような前方に向かって延ばされた位置へと、テンプル３４に対して概ね外側且つ前方へと旋回させられる。この位置から、組合せ物２５は、図７に示すように上方に向かって、次いでテンプル３４に対して概ね後方へ傾けられて、組合せ物２５が、使用者の頭部に平行して配置され且つ長手方向が伸びた状態となり、主に使用者の左耳４６より上に置かれるのが好ましい。必要に応じて、組合せ物２５の耳４６の上にあり耳に隣接している領域は、収容時に図８に示すように耳にかけておくことができる。このような移動時に、テンプル３４とボール３２は、ボール３７に対して一般的には約１５０°の移動を経験するが、移動はこの量より大きくても小さくてもよい。手順を逆にすると、組合せ物２５の収納位置から使用位置への移動ができる。
【００２２】
本発明は、多様なレンズ、鼻かけ部、などと共に実施できる。種々の継手構造が採用できる。テンプル、継手、及び留め金具のアセンブリが、２５などの組合せ物の左又は右側のどちらにも連結できる。
【００２３】
本発明の眼鏡における別の実施形態５０を図１１に示す。実施形態２０のものに対応する構成要素は、同定を便利にする目的でプライム符号（ダッシュ）を追加した同様の番号を付け、更に便宜上、レンズ部２１’、レンズ部２２’、及び鼻かけ部２３’の組合せ物を本明細書では符号２５’で表わす。
【００２４】
ここでは、図示のように、レンズ部２１’、レンズ部２２’、及び鼻かけ部２３’の上部境界領域に延びており、且つ成形プラスチックで作られている、部分フレーム５１を備えた組合せ物２５’を提供する。テンプル３４’の第１の反対向きの端部３３’は、左レンズ部２２’に隣接したフレーム５１の縁における一方の側縁部（ここでは、図のように使用者に対して左側の縁）へ結合される。必要に応じて、代りに、テンプル３４’の対向する第１端３３’は、右レンズ部２１’に隣接したフレーム５１の反対側の側縁へ代って結合することが可能で、これは例えば、組合せ物２５’から部分フレーム５１を取外し、部分フレーム５１を１８０°ひっくり返して、更に部分フレーム５１を組合せ物２５’へ再連結することにより随意的に達成できる。
【００２５】
フレーム５１とテンプル３４’の端部３３’の間の結合は、フレーム５１をテンプル３４’と一体的に成形することによって都合よく達成されるが、他の取り付け方法や手段も、必要に応じて使用することができる。テンプル３４’はテンプル３４と同様の組成及び曲率を有している。ここで、反対側の端部３３’におけるフレーム５１に対するテンプル３４’の傾きの「離陸」角は、反対側の端部３３’に投影された（仮想的な）垂線（詳述せず）に対して約１２０°であるが、必要に応じてより小さい角度あるいはより大きい角度を用いることも出来る。従って、実施形態５０は、反対側の端部３３’とフレーム５１との接合点において、継手を持たない。テンプル３４’は、形状は保たれるけれども、使用者の協働する両手の間に作用する指の力で曲げたり形を決めたりするのが比較的簡単な、金属又はプラスチックの組成物で作られるのが好ましい。
【００２６】
テンプル３４’の一端３３’はフレーム５１の末端に結合されるが、一方テンプル３４’の他端３６’は基台／ソケット部３８’に連結されているボール部３７’と連結されて、ボール部３７’と基台／ソケット部３８’とはボール／ソケット自在継手アセンブリ３９’を構成する。このように、テンプル３４’の第２の反対向きの端部３６’は実施形態２０の継手３９に対応するボール／ソケット自在継手３９’と連結される。自在継手３９’は、実施形態２０における組合せ物２５に対応する組合せ物２５’の位置を、使用位置から収納位置へ、並びにその逆方向へと変えることができる。
【００２７】
本発明の眼鏡に関する別の実施形態６０を図１２〜１４に部分的に示す。実施形態２０のものに対応する構成要素は、同定を便利にする目的でプライム記号を追加した同様の番号を付け、更に便宜上、レンズ部２１’、レンズ部２２’、及び鼻かけ部２３’の組合せ物（全体は図示せず）を本明細書では符号２５’で表わす。実施形態６０は、組合せ物２５’と永久的に連結されている部分フレーム６１を含む。
【００２８】
実施形態６０において、レンズ２２’は、その左縁に、ボール／ソケット自在継手３１’の基台６３の側端及び先端における壁部分内に形成される溝を、嵌合しつつ受け入れるように設計された切欠き（ノッチ）６２が設けられている。必要に応じて、基台６３は切欠き６２の縁部へ接着剤で付けることもできる。必要に応じて、組合せ物２５’の反対側の端部（詳述せず）には同様な切欠き６２が形成されていてもよく、それによってテンプル３４と留め金具４２’と基台６３との部分組立品が、代わりに、しかし対応する様式で、レンズ２１’（詳述せず）の右縁と連結できるようになる。必要に応じて、テンプル３４と留め金具４２’と基台６３との部分組立品が組合せ物２５’とは別個に作って売られることもあり、それによって、使用者は複数の部分組立品から特定の望ましい１組の部分組立品を選択したり、色、寸法、などが互いに異なるであろう複数の組合せ物２５’から特定の望ましい１個の組合せ物２５’を選択したりすることが可能になる。留め金具４２’の楕円形の輪郭をしたばね板４３’と４４’を、図１３と１４に示す。ばね板４４’は、その上面部に、必要に応じてロゴなどが押印できる場所を提供する。
【００２９】
本発明の眼鏡に関する別の実施形態７０を図１５〜１７に部分的に示す。実施形態２０のものに対応する構成要素は、同定を便利にする目的でプライム記号を追加した同様の番号を付け、更に便宜上、レンズ部２１’、レンズ部２２’、及び鼻かけ部２３’の組合せ物２５’（部分的に図示）と表現する。実施形態７０は、組合せ物２５’と連結されている部分フレーム７１を含む。
【００３０】
実施形態７０において、左縁の一部に隣接しているレンズ２２’には開口７２が設けられ、開口７２はボール／ソケット自在継手３１’の基台７３の突き出た短い軸部（詳述せず）を貫通させて嵌合しつつ受入れるように設計されている。軸部の外側末端部は、摩擦力で連結する保持キャップ７４をそれに被せて受入れるように設計されている。代りに、必要に応じて、軸部がねじ切りされ、嵌合しつつ係合できるナット部材（図示せず）とキャップ７４の代りに連結されてもよい。必要に応じて、キャップ７４は軸部の隣接部へ接着剤で付けることもできる。留め金具４２’の楕円形の輪郭をしているばね板４３’と４４’を図１３と１４に示す。ばね板４４’は、その上面部に、必要に応じてロゴなどが押印できる場所を提供する。実施形態７０のテンプル３４’は、長手方向に延びる細孔７５’がその中に形成された平坦な中間領域を有し、取扱いのために広い表面積を使用者に提供するようなテンプル３４’形状を有している。
【００３１】
数多くの構造的並びに機能的な修正物及び適合物が、当業者は容易に理解するように、本発明の精神と範囲から逸脱することなく達成可能である。
【図面の簡単な説明】
【００３２】
【図１】図１は、本発明の帽子に取り付けできる可調整眼鏡の一実施形態と、仮想線で表わした使用者の頭部と関連する帽子とを示す周辺の斜視図である。
【図２】図２は、図１の眼鏡の前立面図である。
【図３】図３は、図１の眼鏡の後立面図である。
【図４】図４は、レンズ領域の内側面部分を示す、図１の眼鏡の平面図である。
【図５】図５は、図１の側立面図であり、図５〜８において、図１の眼鏡は、眼鏡を使用者がかぶっている帽子に留め金具で固定したままで、図１及び５に示す使用者の使用位置から図８に示す使用者の収納位置へと順番に移動され、使用者の頭部と関連する帽子は仮想線で示してある。
【図６】図６は、図１の側立面図であり、図５〜８において、図１の眼鏡は、眼鏡を使用者がかぶっている帽子に留め金具で固定したままで、図１及び５に示す使用者の使用位置から図８に示す使用者の収納位置へと順番に移動され、使用者の頭部と関連する帽子は仮想線で示してある。
【図７】図７は、図１の側立面図であり、図５〜８において、図１の眼鏡は、眼鏡を使用者がかぶっている帽子に留め金具で固定したままで、図１及び５に示す使用者の使用位置から図８に示す使用者の収納位置へと順番に移動され、使用者の頭部と関連する帽子は仮想線で示してある。
【図８】図８は、図１の側立面図であり、図５〜８において、図１の眼鏡は、眼鏡を使用者がかぶっている帽子に留め金具で固定したままで、図１及び５に示す使用者の使用位置から図８に示す使用者の収納位置へと順番に移動され、使用者の頭部と関連する帽子は仮想線で示してある。
【図９】図９は、更に使用位置にあるときの眼鏡の向きを示す、図５の端部立面図であり、帽子のつばは仮想線で示してある。
【図１０】図１０は、図４の実施形態の側立面図である。
【図１１】図１１は、図２に類似した図であるが、本発明の帽子に取り付けできる可調整眼鏡に関する別の実施形態を示している。
【図１２】図１２は、図５に類似した図であるが、本発明の帽子に取り付けできる可調整眼鏡に関する別の実施形態を部分的に示しており、使用者の頭部に関連する帽子は仮想線で示してある。
【図１３】図１３は、図１２の実施形態で用いられた、帽子のつばに連結できる留め金具の平面図である。
【図１４】図１４は、図１３の留め金具の側立面図である。
【図１５】図１５は、図１２に類似した図であるが、本発明の帽子に取り付けできる可調整眼鏡に関する別の実施形態を分解した形態で示している。
【図１６】図１６は、図１５の実施形態で用いられた、帽子のつばに連結できる留め金具の平面図である。
【図１７】図１７は、図１６の留め金具の側立面図である。
【図１】
2008506157.tif 000003
【図２】
2008506157.tif 000004
【図３】
2008506157.tif 000005
【図４】
2008506157.tif 000006
【図５】
2008506157.tif 000007
【図６】
2008506157.tif 000008
【図７】
2008506157.tif 000009
【図８】
2008506157.tif 000010
【図９】
2008506157.tif 000011
【図１０】
2008506157.tif 000012
【図１１】
2008506157.tif 000013
【図１２】
2008506157.tif 000014
【図１３】
2008506157.tif 000015
【図１４】
2008506157.tif 000016
【図１５】
2008506157.tif 000017
【図１６】
2008506157.tif 000018
【図１７】
2008506157.tif 000019
【国際調査報告】
2008506157.tif 000020